(57)【要約】【課題】レントゲンデータのサイズが大きいために、読み出すのに時間がかかってしまい、効率的な読み込みと表示ができず、特に順番に送っていく表示の途中で前に戻って見直そうとしても、表示された後のレントゲンデータを再度読み込み、表示データを生成するための時間がかかって、効率が悪い点を解消する。【解決手段】レントゲンビューワプログラムは、レントゲンデータを順次読み込む読込手段４と、読み込んだレントゲンデータから表示用データを生成する表示用データ生成手段５と、この表示用データ生成手段５により生成された表示用データの少なくとも１枚をモニタ２の画面に表示させる表示手段６と、この表示手段６により表示させる表示用データの切り替えを行う切替手段３と、を備え、表示手段６は、表示した直後の少なくとも１枚の表示用データを保持するようにした。【選択図】図１
2012093910.tif 000002
【特許請求の範囲】
【請求項１】
レントゲン写真の撮影データをモニタ画面に表示させるようコンピュータを動作させるレントゲンビューワプログラムであって、レントゲンデータを順次読み込む読込手段と、読み込んだレントゲンデータから表示用データを生成する表示用データ生成手段と、この表示用データ生成手段により生成された表示用データの少なくとも１枚を前記モニタ画面に表示させる表示手段と、この表示手段により表示させる表示用データの切り替えを行う切替手段と、を備え、前記表示手段は、表示した直後の少なくとも１枚の表示用データを保持するようにしたことを特徴とするレントゲンビューワプログラム。
【請求項２】
表示手段は、モニタ画面を分割して各々に表示用データを表示すると共に、切替手段の切り替えの操作に応じて、分割して表示した表示用データのいずれかを隠すようにマスク処理を行うことを特徴とする請求項１記載のレントゲンビューワプログラム。
【請求項３】
記憶装置、一時記憶装置、中央演算装置、及び記録媒体入出力手段を備えたコンピュータと、このコンピュータに接続されたモニタと、前記コンピュータを操作する操作手段とを備え、前記コンピュータに請求項１又は２のレントゲンビューワプログラムが動作可能にインストールされていることを特徴とするレントゲンビューワ装置。
【発明の詳細な説明】
【技術分野】
【０００１】
本発明は、サイズの大きいレントゲンデータを順番に読み込み、表示させる処理を効率的に行うことができると共に、この順送りの途中で前に戻って表示させる際にも効率よく表示させることができるレントゲンビューワプログラム及びレントゲンビューワ装置に関するものである。なお、本発明において、データ化したレントゲン写真をレントゲンデータと記し、このレントゲンデータ及びこれに関するデータの単位を枚と記す。
【背景技術】
【０００２】
健康診断設備を搭載したいわゆる健診車には、レントゲン写真撮影装置が搭載されている。健診車では、これまでロールフィルムでレントゲン写真撮影を行い、これを病院へ持ち帰って、現像したフィルムを回しておよそ１日で２００人分のレントゲン写真を医師が目視で診断している。
【０００３】
昨今では、上記健診車にて既にデータ化したレントゲン写真（以下レントゲンデータという）を記録媒体に格納し、この記録媒体から例えばパーソナルコンピュータから読み出し、該パーソナルコンピュータに接続されたモニタに映して診断するようになった。こうした技術については例えば特許文献１が存在する。
【先行技術文献】
【特許文献】
【０００４】
【特許文献１】特開２００１−６７２３３号公報
【０００５】
特許文献１には、レントゲンデータのリスト（一覧用にそのデータが何であるかだけが判るように極端に縮小した画像データ、以下、一覧縮小データという）を表示して、この中で正規表示させたい一覧縮小データを選択すると、その選択したレントゲンデータがモニタ画面の大きさで表示される技術が開示されている。
【０００６】
将来的には、フィルムに現像したレントゲン写真に代わり、レントゲンデータが多用されることが予想される。したがって、上記のようにロールフィルムを回して連続的に診断することもできなくなる。
【０００７】
ところで、特に医療用のレントゲンデータは、患者の身体的な異常を見落とすことがあってはならないので、現像したレントゲン写真と遜色ない見映えとなるような画像処理がなされることがあっても、読み出しを高速とするためにデータサイズを小さくするような画像処理を行うことはない。
【０００８】
このことから、医師が診断時に見るレントゲンデータは、基本的にモニタ画面等の都合でフルサイズのレントゲンデータを１００％の大きさで表示できない場合に、そのモニタにおけるできる限り最大に表示できるようにレントゲンデータを縮小（原本とは異なる縮小したレントゲンデータを別途生成すること、これを以下、表示データという）したものを用いることはあっても、一覧縮小データのように過度に縮小したものを用いることはない。
【０００９】
また、ロールフィルムを回して診断することに代えて効率的に表示を行うため、順次一定速度でレントゲンデータの表示を切り替るようにもしている。この場合、異常所見と思われるレントゲンデータを見た際には、前のレントゲンデータに戻って更に確認する作業が行われる。よって、医師による診断時には、前のデータに戻って表示させる機能が求められる。
【００１０】
しかしながら、例えば特許文献１などを含めた従来では、診断のために、レントゲンデータを１枚ずつ順番に読み出すには時間がかかるといった問題がある。例えば連続的に表示を送っていく途中で戻す際には、すでに表示された後なので表示データとしては廃棄（バッファクリア）されているから、再度、読み込んで表示データを生成する必要があり、これらの処理に時間がかかり、結局のところ、効率が悪いという問題があった。
【発明の概要】
【発明が解決しようとする課題】
【００１１】
本願が解決しようとする問題は、レントゲンデータのサイズが大きいために、読み出すのに時間がかかってしまい、効率的な読み込みと表示ができず、特に順番に送っていく表示の途中で前に戻って見直そうとしても、表示された後のレントゲンデータを再度読み込み、表示データを生成するための時間がかかって、効率が悪い点、である。
【課題を解決するための手段】
【００１２】
本発明は、コンピュータにインストールされることで、レントゲン写真の撮影データをモニタ画面に表示させるようコンピュータを動作させるレントゲンビューワプログラムであって、レントゲンデータを順次読み込む読込手段と、読み込んだレントゲンデータから表示用データを生成する表示用データ生成手段と、この表示用データ生成手段により生成された表示用データの少なくとも１枚を前記モニタ画面に表示させる表示手段と、この表示手段により表示させる表示用データの切り替えを行う切替手段と、を備え、前記表示手段は、表示した直後の少なくとも１枚の表示用データを保持するようにしたことを最も主要な特徴とする。
【発明の効果】
【００１３】
本発明は、複数のレントゲンデータを順次読み込んで、そのうちの少なくとも１枚を表示させるので全体として効率的な読み込みと表示ができると共に、レントゲンデータを順方向の送り途中で表示した直後（つまり表示後）に戻って表示させる場合には、表示した直後の少なくとも１枚の表示用データを保持しているから、レントゲンデータの読み込み動作なく表示を戻すことができ、この点でもロールフィルムと同じように快適に表示を戻すことができる。
【図面の簡単な説明】
【００１４】
【図１】図１は、本発明のレントゲンビューワプログラムをインストールして作動させるパーソナルコンピュータと作動に必要な周辺機器を示したシステム構成図である。
【図２】図２は、本発明のレントゲンビューワプログラムの構成と、パーソナルコンピュータ及び周辺機器との関係を示す図である。
【図３】図３は、本発明のレントゲンビューワプログラムの動作状況を示し、戻り、送り、の切替操作を説明するための図である。
【図４】図４は、本発明のレントゲンビューワプログラムの動作状況を示し、マスク操作を説明するための図である。
【図５】図５は、本発明のレントゲンビューワプログラムの動作状況を示し、（ａ）は通常使用、（ｂ）はモニタ回転による拡大表示、を説明するための図である。
【図６】図６は、本発明のレントゲンビューワプログラムの動作状況を示し、（ａ）は通常使用、（ｂ）は拡大の操作による拡大表示、を説明するための図である。
【図７】図７（ａ）（ｂ）は、本発明のレントゲンビューワプログラムにおいて用いられるコントローラを示す図である。
【発明を実施するための形態】
【００１５】
本発明のレントゲンビューワプログラムは、図１〜図７を参照して説明する次の形態により実施される。図１には、本発明のレントゲンビューワプログラムがインストールされたパーソナルコンピュータを中心とした本発明のレントゲンビューワ装置を示している。
【００１６】
１は、内部にハードディスク１Ａ（記憶装置）、メモリ１Ｂ（一時記憶装置）、ＣＰＵ１Ｃ（中央演算装置）、ＤＶＤなどの記録媒体Ｄに格納されたデータを読み出したり、記録媒体へ書き込んだりするための記録媒体入出力装置１Ｄ、を備えたパーソナルコンピュータ（以下、コンピュータと記す）である。記録媒体Ｄには本例の場合、集団健康診断により撮影された胸部レントゲン写真の画像データ（レントゲンデータ）が複数枚格納されている。
【００１７】
なお、本発明のレントゲンビューワプログラムは、コンピュータ１にインストールされて効率よくレントゲンデータを見ることのできるように該コンピュータ１を作動させるものであるが、コンピュータ１自体の構成に関しては高価かつハイスペック（少なくともレントゲンデータの読み出しやモニタへの描画が速やかに行われる構成であることが望ましい）であれば本発明に依存しない部分で効率よくレントゲンデータを見ることができることは言うまでもないが、必ずしもハイスペックでなく通常のスペックであっても本発明に依存した部分でもって効率よくレントゲンデータを見ることができる。
【００１８】
２は、コンピュータ１に接続され、該コンピュータ１における処理内容を表示するモニタである。このモニタ２は、表示領域が大きく、レントゲンデータの表示用データを１００％の倍率で横並びに２枚表示できる程度のものが望ましいが、市販レベルで例えば小さくとも２３インチワイド型のものを採用すればであればよい。
【００１９】
３は、コンピュータ１に接続され、該コンピュータ１に操作指令を与える本発明のレントゲンビューワ装置における操作手段であると共に、本発明のレントゲンビューワプログラムにおける切替手段であり、３Ａはキーボード、３Ｂはマウス、３Ｃはコントローラである。
【００２０】
したがって、キーボード３Ａ、マウス３Ｂ、コントローラ３Ｃは、本発明のレントゲンビューワプログラムの切替手段３において切替指令を与えるための具体的構成例として総称する場合は切替手段３と、本発明のレントゲンビューワ装置における物理的操作手段として総称する場合は操作手段３と、記すこととする。
【００２１】
本発明のレントゲンビューワプログラムの切替手段３は、切替指令を受け付けてその旨処理を後述する読込手段４により記録媒体入出力装置１Ｄを作動させて記録媒体から所定のレントゲンデータを読み出す指令を与えるものである。
【００２２】
なお、キーボード３Ａ、マウス３Ｂは、コントローラ３Ｃは、全て必要ではなく、本発明のレントゲンビューワプログラムのみを使用するうえではキーボード３Ａ、マウス３Ｂ、コントローラ３Ｃのいずれか１つあればよい。実質的には、キーボード３Ａ、マウス３Ｂは、コンピュータ１には通常備えられているから、これらだけでもよい。
【００２３】
コントローラ３Ｃは、例えば図７（ａ）に示す構成では、レントゲンデータを順番に送る（読み込んで表示用データを生成し表示させる）ための「次」と表示された送りボタン３ａ、レントゲンデータを逆順に送る（読み込んで表示用データを生成し表示させる）ための「前」と表示された戻りボタン３ｂ、後述する詳細な検査が必要である旨のフラグを立ててデータベースを生成する旨の指令を与える「要精検」と表示された要精検ボタン３ｃを備えている。
【００２４】
一方、図７（ｂ）に示すコントローラ３Ｃの構成は、送りボタン３ａ、戻りボタン３ｂ、要精検ボタン３ｃの他に、送り、戻り操作中であっても所定時間で順番にレントゲンデータを送る（読み込んで表示用データを生成し表示させる）ための「ＡＵＴＯ」と表示された自動ボタン３ｄを備えている。
【００２５】
また、コントローラ３Ｃが接続されていなければ、キーボード３Ａだけ、あるいはマウス３Ｂだけ、により使用することも可能である。コントローラ３Ｃが接続されている場合は、該コントローラ３Ｃがキーボード３Ａとマウス３Ｂより優先して（キーボード３Ａとマウス３Ｂの操作を排他して）操作を受け付けるようにすることも、また、コントローラ３Ｃ、キーボード３Ａ、マウス３Ｂのいずれかから出力された操作指令を受け付けることもできるようになっている。
【００２６】
４は、切替手段３のレントゲンデータの切り替えに関する操作指令に基づいて、記録媒体入出力装置１Ｄを作動させて記録媒体１Ｄより所定のレントゲンデータを読み出す読出手段である。この読出手段４は、本発明レントゲンビューワプログラムがコンピュータ１におけるオペレーションシステム上で起動（以下、起動と記す）した際には、記録媒体Ｄにおいて読み出し先頭位置に格納したレントゲンデータの複数を順番に読み出す。
【００２７】
起動以降は、切替手段３の操作指令に基づいてレントゲンデータを順次読み出すが、いま表示されようとするレントゲンデータの表示用データの表示の処理中に、この表示用データの表示の処理にあるレントゲンデータに対して少なくとも１枚分先の（未表示の）レントゲンデータを読み込むようにしている。
【００２８】
５は、読込手段４により読み込んだレントゲンデータを、コンピュータ１におけるオペレーションシステムにおいて認識されているモニタ２の画面の大きさに合わせて（できるだけ大きい）表示用のデータを生成する表示用データ生成手段である。この表示用データ生成手段５において、モニタ２の画面の大きさに合わせるとは、予め該モニタ２で表示可能な領域を２分割して、この２分割した画面の各々に１つのレントゲンデータを表示できる大きさにすることを意味する。
【００２９】
６は、表示用データ生成手段により生成した表示用データを表示する表示手段である。この表示手段６は、起動時にモニタ２における表示領域を所定レイアウトで２分割する旨の演算を行ってレントゲンデータ表示欄６Ａ，６Ｂを生成し、さらに、このレントゲンデータ表示欄６Ａの上部に例えば「読映画像」、レントゲンデータ表示欄６Ｂの上部に例えば「読映した画像」、の経過表示６Ｃを生成し、並びにレントゲンデータ表示欄６Ａ，６Ｂの画面下部で幅方向中央に、向かって左から例えば「前」、「要精検」、「次」の操作表示６Ｄを生成し、前記レントゲンデータ表示欄６Ａ，６Ｂに表示用データを割り当てて表示する。
【００３０】
また、表示手段６は、表示した直後の少なくとも１枚、本例では例えば２枚の表示用データをメモリ１Ｂに保持する旨の指令を出力するように構成されている。すなわち、上記モニタ２におけるレイアウトで言うと、レントゲンデータ表示欄６Ａ「読映画像」が表示した表示用データであり、表示した直後の（本例では）２枚とは、レントゲンデータ表示欄６Ｂ「読映した画像」の１枚と、モニタ上に現れていない別の（レントゲンデータ表示欄６Ａ「読映画像」とレントゲンデータ表示欄６Ｂ「読映した画像」において既表示）のもう１枚と、をメモリ１Ｂに保持しておくのである。
【００３１】
表示手段６において、上記操作表示６Ｄ、及びレントゲンデータ表示欄６Ａ，６Ｂは、これらの表示に対して例えばマウス３Ｂによりクリック又はダブルクリック等の操作が行われた際には、この操作指令を切替手段３に渡すようにも構成できる。操作によるモニタ２における画面の表示遷移に関しては後述する。
【００３２】
また、本実施例では、表示手段６は、後述するように、モニタ画面２において、レントゲンデータ表示欄６Ａ，６Ｂのいずれか任意の一方に、少なくともレントゲンデータの表示を隠すような色、例えば黒の表示を行ったり、モニタ２が画面を回転させることができるものであれば、回転に応じてレントゲンデータの表示を１画面で等倍表示としたり、任意のレントゲンデータ表示欄６Ａ，６Ｂの一方について１画面で等倍表示とするよう、表示用データ生成手段５に指令を与えることもできる。
【００３３】
次に本発明のレントゲンビューワプログラムの動作について説明する。本発明のレントゲンビューワプログラムは、コンピュータ１にインストールされているので、当該コンピュータ１のハードディスク１Ａに動作可能に格納されている。これをオペレーションシステムから起動すると必要データがメモリ１Ｂに読み込まれ、以下、コンピュータ１を本発明のレントゲンビューワプログラムに基づいて動作させることとなる。
【００３４】
本発明のレントゲンビューワプログラムが起動すると、表示手段６が、オペレーションシステムにより認識されているモニタ２の情報に基づいて該モニタ２の表示領域を所定レイアウトで２分割する旨の演算を行ってレントゲンデータ表示欄６Ａ，６Ｂを生成し、このレントゲンデータ表示欄６Ａの上部に例えば「読映画像」、レントゲンデータ表示欄６Ｂの上部に例えば「読映した画像」、の経過表示６Ｃを生成し、レントゲンデータ表示欄６Ａ，６Ｂの画面下部で幅方向中央に、向かって左から例えば「前」、「要精検」、「次」の操作表示６Ｄを生成する。
【００３５】
また、起動時に、読込手段４は、記録媒体入出力装置１Ｄが動作可能状態であるか否か、記録媒体Ｄが読み出し可能な状態にあるか否か、等を確認する。この確認時に、記録媒体入出力装置１Ｄが動作不可能状態であったり、記録媒体Ｄが挿入されてない又は読み出し不可能な状態、な場合は、表示手段６を介してその旨表示させる。なお、こうしたエラーの場合の回復手法に関しては本発明の特徴ではないので説明を省略する。
【００３６】
読込手段４により記録媒体入出力装置１Ｄが動作可能状態で、かつ記録媒体Ｄが読み出し可能な状態にある場合、起動時に、該読込手段４は、上記の当該記録媒体Ｄの読み出し先頭位置に格納されたレントゲンデータと２番目位置に格納されたレントゲンデータを切替手段３の操作無く読み出す。
【００３７】
読込手段４により読み出したレントゲンデータは、上述表示手段６において確認したモニタ２状況に対応して描画処理されたレントゲンデータ表示欄６Ａ，６Ｂに表示させるべく、表示用データ生成手段により表示用データとして成形（画像処理）される。そして、本実施例では、起動時には、表示手段６によりレントゲンデータ表示欄６Ａ「読映画像」に読み出し先頭位置（１番目）のレントゲンデータの表示用データを、レントゲンデータ表示欄６Ｂ「読映した画像」は何も表示しない。
【００３８】
以上が起動時の動作であり、起動以降は、次のようにコンピュータ１を動作させる。なお、起動時以降の説明では、便宜上、記録媒体Ｄに格納されたレントゲンデータの送り順（記録媒体Ｄにおける読み出し先頭位置から見た順番）は、レントゲンデータ表示欄６Ｂ（読映した画像）には「５番目」、レントゲンデータ表示欄６Ａ（読映画像）には「６番目」、の各レントゲンデータの表示用データが表示されていることとして説明する。
【００３９】
図３では、レントゲンデータを順番に送る又は戻す際の状況を示している。起動後、キーボード３Ａの矢印キー又は任意に割り付けたキーの押し下げ動作、マウス３Ｂによるモニタ２の画面中に表示された操作表示６Ｄにおける「次」又は「前」表示のクリック、コントローラ３Ｃの「次」（送りボタン３ａ）又は「前」（戻りボタン３ｂ）を押す操作、のいずれかの切替操作（以下、切替操作と記す）を切替手段３が受け付けると、この切替操作に応じて次のように動作する。
【００４０】
切替操作が「前」、すなわちレントゲンデータの送り順で言うと先頭方向に戻り操作されると、この場合、表示手段６は、例えばレントゲンデータ表示欄６Ａ（読映画像）に、送り順でいうと「６番目」のレントゲンデータを表示していることとしているので、その前のレントゲンデータつまり「５番目」のレントゲンデータ表示欄６Ｂ（読映した画像）に表示されていた表示用データを移動させる一方、レントゲンデータ表示欄６Ｂ（読映した画像）にはモニタ画面上には現れていない「４番目」の表示用データをメモリ１Ｂから読み出して表示させる。
【００４１】
この「前」、つまり戻り操作がされたときには、本例では読込手段４による例えば（未表示の送り順でいうと）「８番目」以降のレントゲンデータの読み込みは停止させている。したがって、戻り操作では、表示用データがレントゲンデータ表示欄６Ｂ（読映した画像）からレントゲンデータ表示欄６Ａ（読映画像）に移動したり、メモリ１Ｂに保持されている既表示の表示用データを読み出すことのみが行われるから、効率よく表示を行うことが可能となる。
【００４２】
一方、「次」＝送り操作が、切替手段３により受け付けられると、表示手段６は、このとき既に表示用データは生成されてメモリ１Ｂに保持されているがモニタ画面上には現れていない「７番目」の表示用データをレントゲンデータ表示欄６Ａ（読映画像）に表示させ、いまレントゲンデータ表示欄６Ａ（読映画像）に表示されていた「６番目」の表示用データをレントゲンデータ表示欄６Ｂ（読映した画像）に移動させ、さらにレントゲンデータ表示欄６Ｂ（読映した画像）に表示されていた「５番目」の表示用データをメモリ１Ｂに保持するよう指令を与える。
【００４３】
「次」、つまり送り操作がされ、モニタ画面上には現れていない「７番目」の表示用データをレントゲンデータ表示欄６Ａ（読映画像）に表示させることと並行して、読込手段４は、記録媒体入出力装置１Ｄを動作させてこの場合「８番目」のレントゲンデータを記録媒体Ｄから読み出し、表示用データ生成手段５を動作させてこの未表示の「８番目」の表示用データを生成する。
【００４４】
送り操作では、このように今レントゲンデータ表示欄６Ａ（読映画像）に表示されている例えば「６番目」の次の「７番目」のレントゲンデータは「６番目」が表示される際には既に読み出され、表示用データが生成されているから、「６番目」から「７番目」に送り操作がされる際には「７番目」の表示データはメモリ１Ｂから読み出され、「８番目」のレントゲンデータが記録媒体Ｄから新たに読み出されることとなる。
【００４５】
通常の使用では、ロールフィルムを回すのと同様、所定時間経過毎に１枚ずつ表示用データを送る。所定時間とはレントゲンデータ表示欄６Ａを目視して診断する時間であり、概ね１〜３秒である。この間、つまり上記で言うと「６番目」が表示されてから１〜３秒の間で「７番目」すなわち送り順の次のレントゲンデータを読みこみ、表示用データを生成することはコンピュータ１のスペックによっては不可能な場合もある。
【００４６】
本発明のレントゲンビューワプログラムであれば、「６番目」から「７番目」に送り操作がされる際に「７番目」の表示データはメモリ１Ｂから読み出され、「８番目」のレントゲンデータが記録媒体Ｄから新たに読み出されるから、コンピュータ１のスペックに依存しないで効率よく表示させることができる。
【００４７】
また、そのように所定時間経過毎に１枚ずつ表示用データを送ってロールフィルムを回すのと同様に多数のレントゲンデータを診断している途中で、戻り操作を行うとすると、通常であれば、モニタ画面上に現れていない表示用データは、再度レントゲンデータを読み込んで表示用データを生成して表示させなければならないが、本発明のレントゲンビューワプログラムであれば、既表示の一定枚数の表示用データをメモリ１Ｂに保持しているから、戻り操作における表示も効率よく行うことができる。
【００４８】
同様に、本例では、戻り操作、送り操作に対応してレントゲンデータ表示欄６Ａ，６Ｂにおいて表示用データが移り変わるが、レントゲンデータを逐一読み出して表示用データを生成してレントゲンデータ表示欄６Ａ，６Ｂに表示させるのではなく、表示用データの表示位置を移動させるようにしているから全体としての処理効率が低下することもない。
【００４９】
以上の説明では、具体的に、キーボード３Ａ、マウス３Ｂ、コントローラ３Ｃの切替操作があった場合を想定しているが、請求項１に相当する動作は、起動後、経過時間を切替手段３がカウントして、所定時間経過する毎に順送りが行われるというものである。なお、この場合においても戻り操作は可能にしている。
【００５０】
また、本発明のレントゲンビューワプログラムは、医師がレントゲンデータ（表示要データ）において異常を発見したり、異常の疑いを持った場合に「要精検」の操作がなされ、これを切替手段３で受け付けた場合には、不図示のデータベース生成手段により、レントゲンデータの例えば記録媒体Ｄにおけるファイル名と共に詳細な検査を要する旨のフラグと関連付けたデータベースを作成し、これをハードディスク１Ａにおける所定領域に記憶する。
【００５１】
図４には、本発明のレントゲンビューワプログラムの他の使用例を示す。例えば上記の「前」又は「次」の上記した通常の切替操作ではなく、例えばキーボード３Ａであれば他の例えばCTRLキーやALT キーと共に矢印キーを押し下げる、マウス３Ｂであれば操作表示６Ｄにおける「前」又は「次」のダブルクリックするといった別途の操作（以下、マスク操作という）をすることで、レントゲンデータ表示欄６Ａ又はレントゲンデータ表示欄６Ｂの一方を隠すように表示手段６が該レントゲンデータ表示欄６Ａ，６Ｂの表示部位に対してマスク処理を行う。
【００５２】
例えば「前」のマスク操作を行ったことを切替手段３が受け付けたとき、このときは、上記説明の「前」の切替操作に伴う動作は行わず、表示手段６は、レントゲンデータ表示欄６Ａ（読映画像）の部位に例えば黒画像Ｍを表示させ、レントゲンデータ表示欄６Ｂ（読映した画像）側のみを可視状態にする。
【００５３】
一方、「次」のマスク操作を行ったことを切替操作３が受け付けたとき、このときは、上記説明の「次」の切替操作に伴う動作は行わず、表示手段６は、レントゲンデータ表示欄６Ｂ（読映した画像）の部位に例えば黒画像Ｍを表示させ、レントゲンデータ表示欄６Ａ（読映画像）側のみを可視状態にする。なお、図４には「次」のマスク操作を行った場合の状況を示している。
【００５４】
こうすることで、２つの画像のうち注視したい側のレントゲンデータだけを他に囚われることなく診断することができる。また、この「次」と「前」のマスク操作を繰り返すことで、２枚を見比べる診断では判りにくい相違が診断されることもある。
【００５５】
図５，図６は、レントゲンデータ表示欄６Ａ，６Ｂのうち特に拡大を行う場合について示す。図５では、モニタ２の画面回転が可能な場合での適用であるが、この場合、モニタ２の画面回転指令を切替手段３で受け付けると、読込手段４によりレントゲンデータ表示欄６Ａ（読映画像）のレントゲンデータを記録媒体Ｄより読み込み、表示用データ生成手段５がモニタ２を回転させて１画面分だけ表示させ得る最大の表示用データを生成する。
【００５６】
表示手段６は、レントゲンデータ表示欄６Ａ（読映手段）に相当する画面レイアウトをモニタ２を回転させた場合の表示領域用に生成し、このレントゲンデータ表示欄６Ａに上記で生成したモニタ２を回転させて１画面分だけ表示させ得る最大の表示用データを表示する。
【００５７】
一方、図６では、レントゲンデータ表示欄６Ａ，６Ｂのうちの一方を例えばキーボード３Ａ、マウス３Ｂ等のさらに別の操作（以下、拡大操作という）によって操作した際には、その拡大操作が切替手段３により受け付けられると、読込手段４により拡大すべきレントゲンデータを記録媒体Ｄより読み込み、表示用データ生成手段５によりこの場合例えば１００％の大きさの表示用データを生成し、表示手段６が生成した拡大表示用のレイアウトにおけるレントゲンデータ表示欄６Ａ（読映画像）に表示させる。
【産業上の利用可能性】
【００５８】
上記実施例では、胸部レントゲン撮影したレントゲンデータを表示するレントゲンビューワとしているが、これに限らず、本発明では、胃部レントゲン、乳房レントゲン、その他画像データで検診が可能な用途で採用して好適である。
【符号の説明】
【００５９】
１  パーソナルコンピュータ
２  モニタ
３  切替手段
３  操作手段
４  読込手段
５  表示用データ生成手段
６  表示手段
６Ａ  レントゲンデータ表示欄
６Ｂ  レントゲンデータ表示欄
【図１】
2012093910.tif 000003
【図２】
2012093910.tif 000004
【図３】
2012093910.tif 000005
【図４】
2012093910.tif 000006
【図５】
2012093910.tif 000007
【図６】
2012093910.tif 000008
【図７】
2012093910.tif 000009